(57)【要約】      （修正有）【課題】構造が簡単で、部品点数が少なく、且つ、組み立ておよび分解が簡便にできる、家具を提供することである。【解決手段】座部１２と、座部１２を支持する脚部とが、着脱自在に形成され、座部１２と脚部とが組み立てられて用いられる家具であって、脚部は、支柱体を含み、脚部は、支柱体の軸方向の上面側に磁力接続部２２を含み、座部１２は、その下面側に、脚部の磁力接続部２２との間で作用する磁力によって、互いに吸着保持される他の磁力接続部３０を含み、脚部の磁力接続部２２および座部１２の他の磁力接続部３０いずれか一方に磁石体が配設され、且つ、もう一方に磁性体または他の磁石体が配設されていることを特徴とする、家具である。【選択図】図１８
2019092574.tif 000002
【特許請求の範囲】
【請求項１】
座部と、前記座部の下面側から前記座部を支持する脚部とが、着脱自在に形成され、前記座部と前記脚部とが組み立てられて用いられる家具であって、
前記脚部は、支柱体を含み、
前記脚部は、前記支柱体の軸方向の上面側に磁力接続部を含み、
前記座部は、当該座部の下面側に、前記脚部の磁力接続部との間で作用する磁力によって互いに吸着保持される他の磁力接続部を含み、
前記脚部の磁力接続部および前記座部の他の磁力接続部のいずれか一方の磁力接続部に磁石体が配設され、且つ、もう一方の磁力接続部に磁性体または他の磁石体が配設されていることを特徴とする、家具。
【請求項２】
前記座部の下面側には、前記脚部の磁力接続部を取り囲むように、前記支柱体の軸方向の上面側が嵌合される嵌合穴部が配設され、前記嵌合穴部の底面および内周面のうちの少なくとも前記底面に、前記座部の磁力接続部が配設されていることを特徴とする、請求項１に記載の家具。
【請求項３】
前記座部は、
その上に物が載置可能となる台座部、
前記台座部の下方に前記台座部と間隔を隔てて配設され、前記脚部が挿通可能となる貫通部を備えた１つ以上のプレート部、および
前記プレート部を前記台座部に保持する保持手段を含むことを特徴とする、請求項１または請求項２に記載の家具。
【請求項４】
前記保持手段は、
前記台座部と前記１つ以上のプレート部とを継ぐ継ぎ部材、および
前記継ぎ部材を、前記台座部と前記１つ以上のプレート部とに接続する接続手段を含むことを特徴とする、請求項３に記載の家具。
【請求項５】
前記保持手段は、前記脚部の周囲の少なくとも一部から外方に突出して配設され、前記１つのプレート部を下から受けて支持する受け部を含むことを特徴とする、請求項３に記載の家具。
【発明の詳細な説明】
【技術分野】
【０００１】
本発明は、家具に関し、特に、台座部、着座部等の座部および当該座部を支持する脚部を備えた、テーブル、ワゴン、ラック、キャビネット、椅子、机等の家具に関する。
【背景技術】
【０００２】
本発明の背景となる従来技術としては、天板を支持する折り畳み可能な支持脚を備えたテーブルがあった（例えば、特許文献１参照）。この従来のテーブルは、支持脚が、天板の裏面の一端側に回動自在に取り付けられた第１の脚部と、この第１の脚部にＸ字状に開閉可能に取り付けられており且つ天板の裏面の他端側に設けられた取付部に着脱可能に取り付けられる第２の脚部とを有しており、第２の脚部は、支持脚を天板に沿って折り畳んだ状態で、その一端部が天板の他端部から突出する長さ寸法を有していることを特徴としている。
この従来のテーブルによれば、不使用時には、支持脚を天板に沿って折り畳んだ状態で、支持脚の第２の脚部の一端部が天板の他端部から突出するようになっている。そのため、天板の他端部から突出する一端部を把持すれば、天板と支持脚とを一緒に容易に持ち運ぶことができる。この場合、第２の脚部の一端部を把手として利用しているので、別途把手を設ける必要がなく、その分、低コスト化も図ることができる。
【先行技術文献】
【特許文献】
【０００３】
【特許文献１】特開２００６−１５８５８８号公報
【発明の概要】
【発明が解決しようとする課題】
【０００４】
しかしながら、この従来のテーブルでは、天板を支持する折り畳み可能な支持脚の折り畳み構造が複雑で、且つ、支持脚を構成する部品点数が多いものであった。
また、この従来のテーブルでは、不使用時の状態（つまり、支持脚２００の第１の脚部２１０および第２の脚部２２０が折り畳まれた状態）からテーブルを使用時の状態にする場合、テーブルを組み立てる作業が非常に手間の掛かるものであった。すなわち、先ず、第１の脚部２１０および第２の脚部２２０と、２つの保持部１３０との嵌合を外し、第１の脚部２１０を回動させる。次に、第２の脚部２２０の閉塞側の端部２２１を天板１００の幅方向の他端部に向けて移動させる。このとき、第１の脚部２１０および第２の脚部２２０が開いてＸ字状になる(特許文献１の図１、図２および図３を参照)。さらに、第２の脚部２２０の閉塞側の端部２２１の２つの係合凸部２２１ａを天板１００の２つの取付部１２０に取り付ける。この状態で支持脚２００が天板１００を支持する。このようにしてテーブルは組み立てられ、使用状態となる。
さらに、この従来のテーブルでは、折り畳まれた状態の支持脚２００を天板１００から取外して、天板１００および支持脚２００の第１の脚部２１０および第２の脚部２２０を別個に分けて保管し、ストックする場合においても、非常に手間の掛かるものであった。すなわち、先ず、天板１００にネジ止めされた２つの回動支持部１１０を取外して、次に、第１の脚部２１０および第２の脚部２２０にネジ止めされた２つのスペーサ２４０を取外す。さらに、２つの回動支持部１１０の凹部および２つの保持部１３０の凹部１３１に嵌合された状態の第１の脚部２１０を取り外す。また一方では、２つの保持部１３０の凹部１３２に嵌合された状態の第２の脚部２２０を取り外す。このようにして、テーブルから支持脚２００の第１の脚部２１０および第２の脚部２２０が取外される。さらに、天板１００にネジ止めされた２つの保持部１３０および２つの取付部１２０の金属板１２２を取外せば、テーブルの裏面から全ての部材が取外される。
この従来のテーブルでは、上記したように、座部となっている天板と、この天板を支持する支持部となっている支持脚との組み付け構造が複雑な構造となっていて、それに加えて、支持脚の第１の脚部と第２の脚部との開閉構造も複雑な構造となっているため、組み立て作業および分解作業を行う場合、時間と労力を要するものとなっている。
この従来のテーブルを組立て家具としての観点からみた場合、例えば、オープンストックの省スペース化、輸送形態のコンパクト化およびそれに伴う輸送費（物流経費）の軽減、さらには、昨今、消費者からの要望が高い消費者が自分で組立てるというＤＩＹ（自分自身で作る）設計の点において、未だ、満足を得られるものとはなっておらず、改善の余地が多々残されている状況である。
【０００５】
それゆえに、本発明の主たる目的は、構造が簡単で、部品点数が少なく、且つ、組み立ておよび分解が簡便にできる、家具を提供することである。
【課題を解決するための手段】
【０００６】
請求項１にかかる発明は、座部と、座部の下面側から座部を支持する脚部とが、着脱自在に形成され、座部と脚部とが組み立てられて用いられる家具であって、脚部は、支柱体を含み、脚部は、支柱体の軸方向の上面側に磁力接続部を含み、座部は、当該座部の下面側に、脚部の磁力接続部との間で作用する磁力によって互いに吸着保持される他の磁力接続部を含み、前記脚部の磁力接続部および前記座部の他の磁力接続部のいずれか一方の磁力接続部に磁石体が配設され、且つ、もう一方の磁力接続部に磁性体または他の磁石体が配設されていることを特徴とする、家具である。
請求項１に係る発明は、上記した構成を有するので、座部と脚部とが、磁石体と磁性体、あるいは、磁石体と他の磁石体とにより着脱自在に吸着保持される。そのため、本発明の家具では、簡単に、座部と脚部とに分解・分別することが可能となっている。
したがって、当該家具の設置場所の変更時および移動時には、簡単に、座部と脚部とに分解・分別して、それぞれ、別個に持ち運ぶことができる。また、当該家具は、例えば、オープンストックの省スペース化、輸送形態のコンパクト化およびそれに伴う輸送費の軽減、さらに、昨今、消費者からの要望が高い消費者が自分で組立てるというＤＩＹ（自分自身で作る）設計の点においても、充分に満足を得られるものとなっている。
すなわち、この発明によれば、構造が簡単で、部品点数が少なく、且つ、組み立ておよび分解が極めて簡便にできる、家具を提供することができる。
本発明の「座部」とは、その上に物を置く場所を示す「台座部」と、その上に人がすわる場所を示す「着座部」の意味の両方を包含するものである。
そのため、本発明では、「座部」が「台座部」を包含する場合、当該台座部の上に物を置くことが可能な家具として、例えば、テーブル（台、卓、食卓）、ラック（棚）、キャビネット（飾り棚、保管庫）、机、ワゴン（台車）等を提供することができる。
また、本発明では、「座部」が「着座部」を包含する場合、当該着座部の上に人がすわることが可能な家具として、例えば、椅子を提供することができる。
請求項２に係る発明は、請求項１に係る発明に従属する発明であって、座部の下面側には、脚部の磁力接続部を取り囲むように、支柱体の上面側が嵌合される嵌合穴部が配設され、嵌合穴部の底面および内周面のうちの少なくとも底面に、座部の磁力接続部が配設されていることを特徴とする、家具である。
請求項２に係る発明は、上記した構成を有するので、座部の下面側の嵌合穴部の中に、支柱体の上面側が当接するように嵌め込むことが可能となっている。この場合、座部と脚部とは、磁石体と磁性体との吸着力、あるいは、磁石体と他の磁石体との吸着力と、座部の嵌合穴部に支柱体の上面側を嵌合させた嵌め込み構造によって、座部の嵌合穴部から脚部の上面側が当該脚部の半径方向に向けて抜け難いものとなり、脚部により確実に座部を安定して支持することができる。また、座部の磁力接続部による脚部の他の磁力接続部に対する囲繞によって、より一層、磁石体と磁性体との吸着力、あるいは、磁石体と他の磁石体との吸着力が高められる。
請求項３に係る発明は、請求項１または請求項２に係る発明に従属する発明であって、座部は、その上に物が載置可能となる台座部と、台座部の下方に台座部と間隔を隔てて配設され、脚部が挿通可能となる貫通部を備えた１つ以上のプレート部と、プレート部を台座部に保持する保持手段とを含むことを特徴とする、家具である。
請求項３に係る発明は、上記した構成を有するので、座部の下方に１つ以上の収納部が構成される。
請求項４に係る発明は、請求項３に係る発明に従属する発明であって、保持手段は、台座部と１つ以上のプレート部とを継ぐ継ぎ部材と、継ぎ部材を、台座部と１つ以上のプレート部とに接続する接続手段とを含むことを特徴とする、家具である。
請求項５に係る発明は、請求項３に係る発明に従属する発明であって、保持手段は、脚部の周囲の少なくとも一部から外方に突出して配設され、１つのプレート部を下から受けて支持する受け部を含むことを特徴とする、家具である。
請求項３に係る発明、請求項４および請求項５に係る発明は、それぞれ、上記した構成を有するので、台座部の上に物を載置することが可能で且つ台座部の下方に１つ以上の収納部を有する、家具として、例えば、テーブル（台、卓、食卓）、ワゴン（台車）、ラック（棚）、キャビネット（飾り棚、保管庫）、机等を提供することができる。
上記した各座部は、その上に物が載置可能となる台座部であることを特徴とする、家具であり得る。
上記した各座部は、その上に人が着座可能となる着座部であることを特徴とする、家具であり得る。
【発明の効果】
【０００７】
本発明によれば、構造が簡単で、部品点数が少なく、且つ、組み立ておよび分解が極めて簡便にできる、家具が得られる。
【０００８】
本発明の上述の目的、その他の目的、特徴および利点は、図面を参照して行う以下の発明を実施するための形態の説明から一層明らかとなろう。
【図面の簡単な説明】
【０００９】
【図１】本発明に係る家具の一例を示す斜視図である。
【図２】図１の正面図である。
【図３】図１の平面図である。
【図４】図１の右側面図である。
【図５】図１の底面図である。
【図６】図６の（Ａ）は、図２のＡ−Ａ切断線における断面図であり、図６の（Ｂ）は、図６の（Ａ）のＤ部拡大図である。
【図７】図７の（Ａ）は、図２のＢ−Ｂ切断線における断面図であり、図７の（Ｂ）は、図７の（Ａ）のＥ部拡大図である。
【図８】図８の（Ａ）は、図２のＣ−Ｃ切断線における断面図であり、図８の（Ｂ）は、図８の（Ａ）のＦ部拡大図であり、図８の（Ｃ）は、図８の（Ａ）のＧ部拡大図である。
【図９】図１〜図８に示した家具の座部の一例を示す正面図である。
【図１０】図９に示した座部の底面図である。
【図１１】図９に示した座部の右側面図である。
【図１２】図１２の（Ａ）は、図９のＨ−Ｈ切断線における断面図であり、図１２の（Ｂ）は、図１２の（Ａ）のＫ部拡大図である。
【図１３】図１３の（Ａ）は、図９のＩ−Ｉ切断線における断面図であり、図１３の（Ｂ）は、図１３の（Ａ）のＬ部拡大図である。
【図１４】図１４の（Ａ）は、図９のＪ−Ｊ切断線における断面図であり、図１４の（Ｂ）は、図１４の（Ａ）のＭ部拡大図であり、図１４の（Ｃ）は、図１４の（Ａ）のＮ部拡大図である。
【図１５】図１〜図８に示した家具の脚部の一例を示す正面図である。
【図１６】図１５に示した脚部の平面図である。
【図１７】図１７の（Ａ）は、図１５のＯ−Ｏ切断線における断面図であり、図１７の（Ｂ）は、図１７の（Ａ）のＰ部拡大図である。
【図１８】図１８の（Ａ）〜（Ｄ）は、図１〜図８に示した家具の座部と脚部の取付け方法（組み立て方法）の一例を示す要部拡大斜視図であり、図１８の（Ｅ）は、座部と脚部の取付け構造の一例を示す要部拡大断面図であり、図１８の（Ｆ）は、図１８の（Ｅ）の変形例を示す要部拡大分解断面図であり、図１８の（Ｇ）は、図１８の（Ｅ）の変形例の他の例を示す要部拡大分解断面図であり、図１８の（Ｈ）は、図１８の（Ｅ）の変形例のさらに他の例を示す要部拡大分解断面図である。
【図１９】図１９の（Ａ）は、図１〜図８に示した家具の分解斜視図であり、図１９の（Ｂ）は、図１９の（Ａ）に示した座部および脚部を別個に分別した状態を示す斜視図である。
【図２０】図２０の（Ａ）は、図１〜図８に示した家具の変形例を示す斜視図であり、図２０の（Ｂ）は、図２０の（Ａ）に示した家具を座部と脚部とを別個に分別し、座部の中に脚部を収納した状態を示す斜視図である。
【図２１】図１〜図８に示した家具の他の変形例を示す斜視図である。
【図２２】図１〜図８に示した家具のさらに他の変形例を示す斜視図である。
【図２３】本発明に係る家具の他の例を示す斜視図である。
【図２４】図２４の（Ａ）は、本発明に係る家具のさらに他の例を示す斜視図であり、図２４の（Ｂ）は、図２４の（Ａ）の変形例を示す斜視図である。
【図２５】図２５の（Ａ）は、図２４の（Ａ）およぴ（Ｂ）に示した座部と脚部の取付け構造の一例を示す要部拡大断面図であり、図２５の（Ｂ）は、図２５の（Ａ）のＱ−Ｑ切断線における断面図であり、図２５の（Ｃ）は、図２４の（Ａ）および（Ｂ）に示す家具の変形例を示す要部斜視図であり、図２５の（Ｄ）は、図２５の（Ｃ）のＲ−Ｒ切断線における断面図であり、図２５の（Ｅ）は、図２５の（Ｃ）および（Ｄ）に示す保持手段の変形例を示す要部断面図であり、図２５の（Ｆ）は、図２５の（Ｃ）および（Ｄ）に示す保持手段の他の変形例を示す要部断面図であり、図２５の（Ｇ）は、図２５の（Ｃ）および（Ｄ）に示す保持手段のさらに他の変形例を示す要部断面図である。
【図２６】本発明に係る家具のさらに他の例を示す斜視図である。
【図２７】本発明に係る家具のさらに他の例を示す斜視図である。
【図２８】本発明に係る家具のさらに他の例を示す斜視図である。
【図２９】本発明に係る家具の別の例を示す斜視図である。
【発明を実施するための形態】
【００１０】
図１は、本発明に係る家具の一例を示す斜視図であり、図２は、図１の正面図であり、図３は、図１の平面図であり、図４は、図１の右側面図であり、図５は、図１の底面図である。また、図６の（Ａ）は、図２のＡ−Ａ切断線における断面図であり、図６の（Ｂ）は、図６の（Ａ）のＤ部拡大図である。さらに、図７の（Ａ）は、図２のＢ−Ｂ切断線における断面図であり、図７の（Ｂ）は、図７の（Ａ）のＥ部拡大図である。さらに、図８の（Ａ）は、図２のＣ−Ｃ切断線における断面図であり、図８の（Ｂ）は、図８の（Ａ）のＦ部拡大図であり、図８の（Ｃ）は、図８の（Ａ）のＧ部拡大図である。
この家具１０は、図１、図２および図４等に示すように、座部１２を含み、座部１２は、その上にたとえば物が載置可能となる台座部１２Ａを含む。台座部１２Ａの下面側には、当該台座部１２Ａを下方から支持するたとえば４つの脚部１４ａ，１４ｂ，１４ｃおよび１４ｄが配設されている。台座部１２Ａおよび４つの脚部１４ａ〜１４ｄは、後述する磁力接続部２２および３０によって着脱自在に形成されている。この家具１０は、台座部１２Ａと４つの脚部１４ａ〜１４ｄとを組み立てて用いる所謂組み立て式の家具となっている。
【００１１】
台座部１２Ａは、たとえば平面視横長矩形状の天板１６を含む。天板１６は、例えば、ブナ等の木材、木質合板、その他の木質材等で形成されている。天板１６は、台座部１２Ａの下面側から４つの脚部１４ａ〜１４ｄにより支持されている。
【００１２】
４つの脚部１４ａ〜１４ｄは、それぞれ、同じ構造を有しているので、１つのたとえば脚部１４ａについて説明する。すなわち、脚部１４ａは、たとえば図１、図１５、図１６および図１７に示すように、軸方向に長さを有する支柱体１８を含む。支柱体１８は、中実の柱状体として、たとえば円柱状に形成されている。支柱体１８は、たとえばブナ等の木材で形成されている。支柱体１８の軸方向の一端面（以下、「上端面」という。）および他端面（以下、「下端面」という。）には、それぞれ、その周縁部に、図１７の（Ｂ）に示すように、面取り部２０が形成されている。
【００１３】
この支柱体２０の上端面側には、磁力接続部２２が配設されている。磁力接続部２２は、たとえば図１６および図１７の（Ｂ）に示すように、たとえば円板状の２つの磁石体２２４ａ，２４ｂを含む。２つの磁石体２４ａ，２４ｂは、たとえばネオジウムで形成されている。この２つの磁石体２４ａ，２４ｂは、図１５、図１６および図１７の（Ｂ）に示すように、支柱体１８の軸方向の上端面近傍に配設されている。すなわち、支柱体１８の軸方向の上端面には、たとえば平面視円形の２つの凹部２６ａ，２６ｂが配設されている。２つの凹部２６ａ，２６ｂは、面取り部２０を除く円周面の半径方向に間隔を隔てて配設されている。この２つの凹部２６ａ，２６ｂには、それぞれ、磁石体２４ａ，２４ｂが嵌め込まれる。この場合、磁石体２４ａ，２４ｂの裏面には、たとえば接着剤が塗布され、凹部２６ａ，２６ｂの底面に固着される。
【００１４】
また、支柱体１８の下端面には、たとえば図１および図５に示すように、たとえば適宜な厚さの円形のフェルト等の布材からなる保護部材１３０が接着剤により固着されている。この保護部材１３０は、この家具１０をたとえば床面（図示せず）に置いたときに、４つの脚部１４ａ〜１４ｄと当接する床面を保護する機能、当該４つの脚部１４ａ〜１４ｄと床面との衝突音を抑制する防音機能、滑り止め効果（防滑機能）を有するものである。
【００１５】
一方、台座部１２Ａの天板１６の下面側には、たとえば図２および図８に示すように、上記した４つの脚部１４ａ〜１４ｄを着脱自在に嵌合することが可能な嵌合穴部２８ａ，２８ｂ，２８ｃおよび２８ｄが配設されている。この４つの嵌合穴部２８ａ〜２８ｄは、それぞれ、４つの脚部１４ａ〜１４ｄの各支柱体１８の直径よりも僅かに大きい直径で、且つ、平面視円形の態様を有するものである。また、４つの嵌合穴部２８ａ〜２８ｄの底面までの高さ（深さ）は、それぞれ、台座部１２Ａの天板１６の嵌合穴部２８ａ〜２８ｄから各脚部１４ａ〜１４ｄの各支柱体１８の上端面側が、例えば、当該脚部１４ａ〜１４ｄの半径方向に向けて、つまり、水平方向に向けて、抜け難いものとなる高さ（深さ）に形成されている。この場合、４つの嵌合穴部２８ａ〜２８ｄは、同じ構造を有するものとなっている。
【００１６】
４つの嵌合穴部２８ａ〜２８ｄには、それぞれ、たとえば図１４の（Ａ），（Ｂ）に示すように、他の磁力接続部３０が配設されている。これらの磁力接続部３０は、上記した磁力接続部２６ａ，２６ｂとの間で互いに吸着保持されるものである。各磁力接続部３０は、それぞれ、たとえば鉄板等の円板状の金属板からなる磁性体３０Ａで形成されている。
【００１７】
さらに、この家具１０は、たとえば図１、図２、図４、図５、図９および図１０に示すように、台座部１２Ａの天板１６の下方に、当該天板１６と間隔を隔てて、たとえば１つのプレート部３２が配設されている。このプレート部３２は、例えば、天板１６と略同形同大に形成される平面視横長矩形状の棚板３４を含む。棚板３４は、ブナ等の木材、その他の木質材で形成されている。棚板３４は、上記した４つの脚部１４ａ〜１４ｄが挿通可能となる４つの貫通部として、４つの貫通孔３６ａ，３６ｂ，３６ｃおよび３６ｄを有している。この場合、棚板３４は、たとえば図１、図５、図８の（Ａ），（Ｃ）、図１０および図１４の（Ａ），（Ｃ）に示すように、当該棚板３４の四隅近傍に、貫通部としてのたとえば平面視円形の貫通孔３６ａ，３６ｂ，３６ｃおよび３６ｄを有している。
【００１８】
また、この家具１０は、上記したプレート部３２が落下しないように保持する保持手段３８を含む。保持手段３８は、たとえば図１、図２、図４、図７、図９、図１１および図１３に示すように、台座部１２Ａの天板１６とプレート部３２の棚板３４との上下間を継ぐ（つなぎ合わせる）たとえば２つの継ぎ部材４０，４２を含む。継ぎ部材４０および４２は、それぞれ、台座部１２Ａの天板１６の下面とプレート部３２の棚板３４の上面との間で、且つ、その長さ方向の一端側および他端側間に配設されている。この２つの継ぎ部材４０，４２は、それぞれ、たとえば横長矩形状に形成され、ブナ等の木材、木質合板、その他の木質材等でプレート状に形成されている。
【００１９】
さらに、保持手段３８は、２つの継ぎ部材４０，４２を台座部１２Ａの天板１６およびプレート部３２の棚板３４に接続する接続手段４４をさらに含む。この接続手段４４は、たとえば図２、図７の（Ａ），（Ｂ）および図１３の（Ａ），（Ｂ）に示すように、たとえば複数のダウエルピン４６（所謂、だぼ、だぼピン、ノックピンと称されるもの。）で形成されている。この場合、一方の継ぎ部材４０および他方の継ぎ部材４２は、たとえば図１および図２に示すように、それぞれ、台座部１２Ａの天板１６の下面とプレート部３２の棚板３４の上面との間で、且つ、その長さ方向の一端側および他端側間に配置される。
【００２０】
そして、一方の継ぎ部材４０の幅方向の一端側（上端側）および他端側（下端側）は、たとえば図７の（Ａ），（Ｂ）に示すように、天板１６の長さ方向の一端側（右端側）の下面および棚板３４の長さ方向の一端側（右端側）の上面に、それぞれ、たとえば５つのダウエルピン４６によって接続される。同様にして、他方の継ぎ部材４２の幅方向の一端側（上端側）および他端側（下端側）は、天板１６の長さ方向の他端側（左端側）の下面および棚板３４の長さ方向の他端側（左端側）の上面に、それぞれ、たとえば５つのダウエルピン４６によって接続される。
【００２１】
さらに、この家具１０では、たとえば図１および図２に示すように、台座部１２Ａの天板１６の下面およびプレート部３２の棚板３４の上面の間で、且つ、その長さ方向の中央部に、たとえば１つの仕切り部材４８が配設されている。仕切り部材４８は、たとえば横長矩形状に形成され、ブナ等の木材、木質合板、その他の木質材等で形成されている。
この仕切り部材４８は、上記した継ぎ部材４０，４２と台座部１２Ａの天板１６とプレート部３２の棚板３４との接続構造と同様に、複数のダウエルピン４６によって接続されている。この場合、仕切り部材４８は、たとえば図６の（Ａ），（Ｂ）および図１２の（Ａ），（Ｂ）に示すように、その幅方向の一端側（上端側）および他端側（下端側）が、台座部１２Ａの天板１６の長さ方向の中央部の下面およびプレート部３２の棚板３４の長さ方向の中央部の上面に、それぞれ、たとえば５つのダウエルピン４６によって接続される。
【００２２】
そのため、この家具１０は、台座部１２Ａの天板１６の下方において、当該天板１６とプレート部３２の棚板３４と、継ぎ部材４０，４２とで囲繞された部位に、収納部５０を有する構造となっている。この収納部５０は、さらに、上記した仕切り部材４８によって、２つの区画収納部５２および５４に区画されるものとなっている。
なお、この仕切り部材４８は、必ずしも設ける必要は無く、その場合、座部１２は、たとえば図２０の（Ａ）に示すように、台座部１２Ａの天板１６の下面とプレート部３２の棚板３４の上面との間に、１つの収納部５０を有するものとなる。
また、上記した仕切り部材４８は、複数のダウエルピン４６によって、台座部１２Ａの天板１６の下面およびプレート部３２の棚板３４の上面の間に配設されているが、当該仕切り部材４８は、ダウエルピン以外の接続手段として、例えば、ほぞ及びほぞ穴により接続するようにしてもよく、例えば、ビス、ボルト・ナット等の固着手段により接続するようにしてもよい。
また、この仕切り部材４８は、台座部１２Ａの天板１６の下面およびプレート部３２の棚板３４の上面の間に、適宜な着脱手段によって、着脱自在に配置するようにしてもよい。この場合、例えば、図６（Ａ），（Ｂ）および図１２（Ａ），（Ｂ）において、複数のダウエルピン４６をそれぞれ磁性体としての金属材料で形成し、且つ、当該ダウエルピン４６が挿入される天板１６、仕切り部材４８および棚板３４の各部位に磁石体または磁性体を配設すれば、当該仕切り部材４８を着脱自在に、天板１６および棚板３４間に配置することが可能となる。
同様の接続方法により、継ぎ部材４０，４２も、例えば、図７（Ａ），（Ｂ）および図１３（Ａ），（Ｂ）において、当該継ぎ部材４０，４２を、天板１６および棚板３４に対して着脱自在に取付けるようにしてもよい。
さらに、仕切り部材４８は、台座部１２Ａの天板１６の下面およびプレート部３２の棚板３４の上面の間において、その長手方向にスライド自在となるように構成し、たとえば図１で見て、区画収納部５２および５４の左右方向の収納幅を適宜変更するように形成してもよい。この場合、例えば、台座部１２Ａの天板１６の下面およびプレート部３２の棚板３４の幅方向の一端側および他端側に、たとえば凹部からなる案内溝部（図示せず）を設け、且つ、仕切り部材４８の幅方向の一端面（上端面）または他端面（下端面）に、当該案内溝部に勘合する凸部を設けて、仕切り部材４８を案内溝部に沿ってスライド自在となるように構成してもよい。
【００２３】
図１〜図１７を参照して説明した上述の家具１０は、たとえばパソコン機器を台座部１２Ａの天板１６の上に載置して使用するパソコン台として、サイズ好適なサイズ（幅、奥行き、高さ）に設計されている。この場合、台座部１２Ａの上に載置する物品の大きさ、種類に応じて、当該サイズ（幅、奥行き、高さ）は、適宜、変更可能である。つまり、図１〜図１７に示す家具１０を、例えばドレッサー（化粧用の脚付き台）として用いる場合には、たとえば図２１に示すように、台座部１２Ａの奥行きを短くした設計に適宜変更可能であり、また、例えは３０〜４０インチの薄型のテレビ台として用いる場合には、たとえば図２２に示すように、台座部１２Ａの奥行きを短くし、且つ、脚部１４ａ〜１４ｄの高さを低くした設計に適宜変更可能である。
【００２４】
この家具１０は、図１〜図１７を参照して説明したように、座部１２と脚部１４ａ〜１４ｄとが、座部１２の台座部１２Ａに設けられた磁力接続部２２と、脚部１４ａ〜１４ｄに設けられた他の磁力接続部３０との作用により着脱自在に形成され、当該座部１２と脚部１４ａ〜１４ｄとが組み立てられることによって、適宜、用いられる組み立て式の家具である。
そこで、この家具１０の座部１２と脚部１４ａ〜１４ｄとの取付け方法（組み立て方法）の一例について、たとえば図１８の（Ａ）〜（Ｄ）を参照しながら、以下、簡単に説明する。すなわち、先ず、図１８の（Ａ），（Ｂ）に示すように、たとえば１つの脚部１４ｃが座部１２の棚板３４に設けられた貫通孔３６ｃに挿通される。引き続いて、図１８の（Ｃ），（Ｄ）に示すように、脚部１４ｃの上端面側を座部１２の天板１６に設けられた嵌合穴部２８ｃに嵌合される。この場合、脚部１４ｃの上端面側が、図１８の（Ｅ）に示すように、嵌合穴部２８ｃの底面に設けられた磁力接続部３０の磁性体３０Ａに当接するように、当該脚部１４ｃが嵌合穴部２８ｃに嵌合される。
このようにして、１つの脚部１４ｃが座部１２の天板１６の下面側に着脱自在に取り付けられる。そして、上記した脚部１４ｃの取付け方法と同様の方法により、他の３つの脚部１４ａ，１４ｂ，１４ｄが座部１４の天板１６の下面側に着脱自在に取り付けられる。
【００２５】
この家具１０は、図１〜図１７および図１８の（Ａ）〜（Ｅ）で詳述した構造および取付け方法（組み立て方法）を有するため、当該家具１０を、たとえば図１９の（Ａ），（Ｂ）および図２０の（Ａ），（Ｂ）に示すように、座部１２と脚部１４ａ〜１４ｄとに、きわめて簡便に分解・分別することができる。そのため、この家具１０の設置場所の変更時および移動時には、簡単に、座部１２と脚部１４ａ〜１４ｄとに分解・分別して、それぞれ、別個に持ち運ぶことができる。なお、図２０の（Ａ）に示すように、座部１２に仕切り部材４８が設けられていない家具１０の場合、座部１２と脚部１４ａ〜１４ｄとに分解・分別した後、脚部１４ａ〜１４ｄを座部１２の収納部５０に収納してコンパクトに纏めることもできる。
【００２６】
したがって、この家具１０は、例えば、オープンストックの省スペース化、輸送形態のコンパクト化およびそれに伴う輸送費の軽減、さらに、最近、消費者からの要望が高い消費者が自分で組立てるというＤＩＹ（自分自身で作る）設計の点においても、充分に満足を得られる組み立て式の家具となっている。
すなわち、上述した家具１０によれば、構造が簡単で、部品点数が少なく、且つ、組み立ておよび分解が極めて簡便にできる、組み立て式の家具を提供することができる。
【００２７】
図１８の（Ｆ）〜（Ｈ）は、上述した各家具１０の変形例を示す要部拡大分解断面図である。これらの変形例は、上述した各家具１０と比べて、特に、磁力接続部２２および／または他の磁力接続部３０の構造が相違している。
すなわち、図１８の（Ｆ）に示す変形例では、特に、磁力接続部２２を構成する磁石体がたとえば１つの平面視円形のマグネット板５６で形成されている。このマグネット板５６は、脚部１４ａ〜１４ｄの上端面の略全面に、たとえば接着剤で取着される。
また、図１８の（Ｇ）に示す変形例では、特に、磁力接続部３０を構成する磁性体５８が断面「コ」の字状に形成されている。この場合、磁性体５８は、嵌合穴部２８ａ〜２８ｄの底面に配置される底面側磁性体部５８Ａと、嵌合穴部２８ａ〜２８ｄの内周面に配置される内周面側磁性体部５８Ｂとを含み、底面側磁性体部５８Ａおよび内周面側磁性体部５８Ｂが鉄板等の金属板で一体的に形成されている。さらに、磁力接続部２２を構成する磁石体６０は、その厚みが、少なくとも、前記磁性体５８が取り付けられる嵌合穴部２８ａ〜２８ｄの深さよりも長く形成されている。
さらに、図１８の（Ｈ）に示す変形例は、図１８の（Ｇ）に示す変形例と比べて、特に、磁力接続部２２を構成する磁石体６２が、磁力接続部３０を構成する磁性体５８の底面側磁性体部５８Ａおよび内周面側磁性体部５８Ｂに対応して当接するように、断面「コ」の字状に形成されている。
【００２８】
図２３は、本発明に係る家具の他の例を示す斜視図である。この家具７０は、たとえば図１に示す家具１０と比べて、特に、座部１２の下方に複数の収納部５０を有する点で相違している。
すなわち、図２３に示す家具７０は、台座部１２Ａの天板１６の下方に間隔を隔てて、たとえば３つの棚板７２Ａ，７２Ｂおよび７２Ｃが配設されている。３つの棚板７２Ａ〜７２Ｃは、その長手方向の一端側および他端側が、それぞれ、１つの継ぎ部材７４および７６で保持されている。この場合、天板１６および３つの棚板７２Ａ〜７２Ｃと継ぎ部材７４，７６とは、ビス、ボルト・ナット等の固着手段７８により、適宜、固着されている。なお、天板１６および３つの棚板７２Ａ〜７２Ｃと継ぎ部材７４，７６とは、たとえばダウエルピンで接続するようにしてもよい。図２３に示す家具７０は、たとえばラックに用いて好適なものとなっている。
【００２９】
図２４の（Ａ）は、本発明に係る家具のさらに他の例を示す斜視図であり、図２４の（Ｂ）は、図２４の（Ａ）の変形例を示す斜視図である。図２４の（Ａ），（Ｂ）に示す家具８０Ａ，８０Ｂは、たとえば図１に示す家具１０と比べて、特に、保持手段３８の構成が相違する。すなわち、図１に示す家具１０は、保持手段３８として、継ぎ部材４０，４２により棚板３４を天板１６に保持させるようにした構成であったが、この家具８０Ａ，８０Ｂでは、継ぎ部材４０，４２に替えて、保持手段３８が、図２５の（Ａ），（Ｂ）に示すように、たとえば円形環状の鍔型ブラケットで形成された受け部８２によって構成されている。この場合、棚板３４は、受け部８２の上に載置され、当該受け部８２により、落下しないように支持されている。
また、図２４の（Ｂ）に示す家具８０Ｂは、図２４の（Ａ）に示す家具８０Ａと比べて、仕切り部材４８が設けられていない点で相違する。
図２４の（Ａ），（Ｂ）に示す家具８０Ａ，８０Ｂは、たとえば机に用いて好適なものとなっている。
【００３０】
図２５の（Ｃ）は、図２４の（Ａ）および（Ｂ）に示した家具の変形例を示す要部斜視図であり、図２５の（Ｄ）は、図２５の（Ｃ）のＲ−Ｒ切断線における断面図である。図２５の（Ｃ），（Ｄ）に示す家具８０Ａ，８０Ｂは、図２４の（Ａ），（Ｂ）に示した家具８０Ａ，８０Ｂと比べて、特に、脚部１４ａ〜１４ｄの各支柱体１８および保持手段３８の態様が相違している。
すなわち、この変形例の家具８０ａ，８０ｂでは、支柱体１８がたとえば断面方形の角柱に形成されている。また、保持手段３８は、脚部１４ａ〜１４ｄの各支柱体１８の周囲から外方に突出する、たとえば２つの直方体状のブラケットで形成された受け部８４で構成されている。この２つの受け部８４は、支柱体１８の対向する二辺から外方に突出するように形成されている。
【００３１】
また、この保持手段３８は、図２５の（Ｅ）に示すように、たとえば方形環状の鍔型ブラケットで形成された受け部８６によって構成されてもよい。さらに、この保持手段３８は、図２５の（Ｆ）に示すように、図２５の（Ｃ），（Ｄ）に示した受け部８４を、支柱体１８の対向する二辺のどちらか一方からだけ突出するように形成してもよい。さらに、この保持手段３８は、図２５の（Ｇ）に示すように、支柱体１８の隣接する二辺から突出する、たとえば平面視Ｌ字状のブラケットで形成された受け部８８によって構成されてもよい。
【００３２】
図２６、図２７および図２８は、本発明に係る家具のさらに他の例を示す斜視図であり、図２９は、本発明に係る家具の別の例を示す斜視図である。
図２６に示す家具９０は、図１に示す家具１０と比べて、特に、脚部が１つの脚部９２で構成されている点、当該脚部９２の下端部に、たとえば１つの平面視横長矩形状の設置プレート９４が配設されている点、および、仕切り部材４８が設けられていない点で、相違している。この家具９０は、たとえば飾り物やオブジェ等を載置する装飾台に用いられて好適なものとなっている。
【００３３】
また、図２７に示す家具１００は、図１に示す家具１０と比べて、特に、台座部１２Ａの天板１６およびプレート部３２の棚板３４が、それぞれ、たとえば平面視方形状に形成され、且つ、保持手段３８の継ぎ部材４０，４２が縦長矩形状に形成されている点と、天板および棚板間の高さを高くしている点と、継ぎ部材４０および４２の幅方向の一端側を接続する背面板１０２が形成されている点で、相違している。この家具１００は、電話およびファクシミリを載置する台に好適なものとなっている。
【００３４】
さらに、図２８に示す家具１１０は、たとえば図２３に示す家具７０と比べて、特に、脚部１４ａ〜１４ｄの下端面に、移動手段としてのたとえばキャスター１１２ａ〜１１２ｄが配設されている。この家具１１０は、たとえばワゴンに用いて好適なものとなっている。
【００３５】
なお、上述した各家具において、座部に包含される台座部の形状は、平面視矩形状および方形状のものに限定されるものではなく、その上に載置される物品の態様に応じて、例えば平面視で見て、三角形状、台形状、円形状、楕円状等、その他、種々の形状に形成されてもよい。また、脚部の態様も、その断面形状が、円形および方形に限定されるものではなく、たとえば楕円状、台形状に形成されてもよく、さらに、脚部の軸方向の中間部および外周面に、種々の装飾部を形成するようにしてもよい。さらに、台座部および脚部を形成する材質は、木質材料が好ましいが、それ以外にも、プラスチック材料、金属材料等、その他の種々の材料で形成され得るものであってもよい。
【００３６】
一方、図２９に示す家具１２０は、特に、図１に示す家具１０と比べて、座部１２が着座部１２Ｂを含み、着座部１２Ｂの上面に、人が座る着座面部１２２を有する着座部１２Ｂが形成されている点、着座部１２Ｂの着座面部１２２の上面に、背もたれ部１２４が配設されている点で相違している。この場合、背もたれ部１２４は、たとえば円柱状の４つの背もたれバー１２６で形成され、この４つの背もたれバー１２６は、着座面部１２２の一辺側近傍に間隔を隔てて、且つ、たとえば平面視弓弧状に配列されている。この図２９に示す家具１２０は、たとえば椅子として用いられて好適なものとなっている。
なお、上記の背もたれ部１２４の４つの背もたれバー１２６と着座部１２Ｂとは、たとえば図１で示した台座部１２Ａと脚部１４ａ〜１４ｄとの接続構造と同様の方法によって、着脱自在に形成されている。すなわち、この家具１２０において、４つの背もたれバー１２６の下端面側に磁石体を含む磁力接続部（図示せず）設け、且つ、着座部１２Ｂの上端面側に磁性体を含む他の磁力接続部（図示せず）を設けることによって、当該４つの背もたれバー１２６を、着座部１２Ｂの着座面１２２に着脱自在に接続される構成となっている。また、背もたれ部１２４は、背もたれバー１２６以外にも、たとえば曲面状のボードで適宜形成されてもよい。
また、図２９に示す家具１２０では、着座部１２Ｂの下方に当該着座部１２Ｂとプレート部３２との間に収納部５０が設けられているが、収納部５０は必ずしも、設ける必要は無く、その場合、着座部１２Ｂを着座面部１２２だけで形成し、当該着座面部１２２と背もたれ部１２４とで、家具１２０を構成するようにしてもよい。さらに、この家具１２０では、脚部１４ａ〜１４ｄの下端部にキャスター等の移動手段が適宜設けられてもよい。
【００３７】
上述した各家具では、脚部１４ａ〜１４ｄの上端面側に、磁力接続部２２を構成する磁石体２４ａ，２４ｂを配置し、座部１２の台座部１２Ａまたは着座部１２Ｂの下面側に、他の磁力接続部３０を構成する磁性体３０Ａを配置したが、そのような配置に限定されるものではなく、脚部１４ａ〜１４ｄの磁力接続部２２および座部１２の磁力接続部３０のいずれか一方の磁力接続部に磁石体が配置され、且つ、もう一方の磁力接続部に磁性体または他の磁石体が配置される構成であってもよい。
また、図１〜図２２、図２４および図２６に示す家具１０、８０Ａ，８０Ｂおよび９０では、台座部１２Ａがそれぞれ収納部５０を有する構造となっているが、例えば、プレート部３２の棚板３４を設けないで、当該台座部１２Ａの天板１６と脚部１４ａ〜１４ｄとで家具１０を構成するようにしてもよい。さらに、当該家具１０では、継ぎ部材４０，４２が、台座部１２Ａの天板１６の長さ方向の一端側および他端側に配設されているが、それに加えて、当該天板１６の幅方向の一端側、この場合、家具１０の背面側に配設するようにしてもよい。また、当該家具１０では、継ぎ部材４０，４２が、プレート状に形成されているが、当該継ぎ部材４０，４２は、たとえば棒状のもので形成されてもよい。
【符号の説明】
【００３８】
１０  家具
１２  座部
１２Ａ  台座部
１２Ｂ  着座部
１４ａ，１４ｂ，１４ｃ，１４ｄ  脚部
１６  天板
１８  支柱体
２０  面取り部
２２  磁力接続部
２４ａ，２４ｂ  磁石体
２６ａ，２６ｂ  凹部
２８ａ，２８ｂ，２８ｃ，２８ｄ  嵌合穴部
３０  他の磁力接続部
３０Ａ  磁性体
３２  プレート部
３４  棚板
３６ａ，３６ｂ，３６ｃ，３６ｄ  貫通孔
３８  保持手段
４０，４２  継ぎ部材
４４  接続手段
４６  ダウエルピン
４８  仕切り部材
５０  収納部
５２，５４  区画収納部
５６  マグネット板（他の磁石体）
５８  他の磁性体
５８Ａ  底面側磁性体部
５８Ｂ  内周面側磁性体部
６０  さらに他の磁石体
６２  他のマグネット板（さらに他の磁石体）
６２Ａ  底面側磁石部
６２Ｂ  外周面側磁石部
７０  他の家具
７２Ａ，７２Ｂ，７２Ｃ  棚板
７４，７６  継ぎ部材
７８  固着手段
８０Ａ，８０Ｂ  さらに他の家具
８２  受け部
８４  他の受け部
８６  さらに他の受け部
８８  Ｌ字型ブラケット
９０  さらに他の家具
９２  脚部
９４  設置プレート
１００  さらに他の家具
１０２  背面板
１１０  さらに他の家具
１１２  移動手段
１２０  別の家具
１２２  着座面部
１２４  背もたれ部
１２６  背もたれバー
１３０  保護部材
【図１】
2019092574.tif 000003
【図２】
2019092574.tif 000004
【図３】
2019092574.tif 000005
【図４】
2019092574.tif 000006
【図５】
2019092574.tif 000007
【図６】
2019092574.tif 000008
【図７】
2019092574.tif 000009
【図８】
2019092574.tif 000010
【図９】
2019092574.tif 000011
【図１０】
2019092574.tif 000012
【図１１】
2019092574.tif 000013
【図１２】
2019092574.tif 000014
【図１３】
2019092574.tif 000015
【図１４】
2019092574.tif 000016
【図１５】
2019092574.tif 000017
【図１６】
2019092574.tif 000018
【図１７】
2019092574.tif 000019
【図１８】
2019092574.tif 000020
【図１９】
2019092574.tif 000021
【図２０】
2019092574.tif 000022
【図２１】
2019092574.tif 000023
【図２２】
2019092574.tif 000024
【図２３】
2019092574.tif 000025
【図２４】
2019092574.tif 000026
【図２５】
2019092574.tif 000027
【図２６】
2019092574.tif 000028
【図２７】
2019092574.tif 000029
【図２８】
2019092574.tif 000030
【図２９】
2019092574.tif 000031